(57)【特許請求の範囲】
【請求項１】
保持するシートを支持する矩形のベースシート本体と、該ベースシート本体の４つの角部に重ねて設けられ、前記ベースシート本体の２辺と固着された２つの固着辺及びこれら固着辺の前記ベースシート本体の角とは反対側の端部同士を連結する前記ベースシート本体とは遊離した遊離辺を有する保持部とを具備し、
前記ベースシート本体の前記保持部が設けられた角部の間には、一辺が前記角部同士を連結する辺と固着された補助保持部が設けられていることを特徴とするファイル。
【請求項２】
前記補助保持部とその両側の前記保持部とが１枚の部材から形成されることを特徴とする請求項１記載のファイル。
【請求項３】
前記保持部及び前記補助保持部が前記ベースシート本体の両面に設けられていることを特徴とする請求項１又は２記載のファイル。
【請求項４】
前記ベースシート本体の一方の面に設けられる前記補助保持部とその両側の前記保持部と、前記ベースシート本体の他方の面に設けられる前記補助保持部とその両側の前記保持部とが１枚の部材から形成されていることを特徴とする請求項３記載のファイル。
【請求項５】
前記ベースシート本体の一辺の前記角部の外側には、ファイル代が設けられていることを特徴とする請求項１〜４の何れか一項記載のファイル。
【請求項６】
前記ファイル代には、ファイル用貫通孔が設けられていることを特徴とする請求項５記載のファイル。
【請求項７】
請求項５又は６記載のファイルに複数枚を綴ったことを特徴とするファイルノート。
【発明の詳細な説明】
【技術分野】
【０００１】
本発明は、楽譜、プリント、書類などのシートを整理、保持できるファイル及びファイルノートに関する。
【背景技術】
【０００２】
従来より、楽譜などのシートを整理保持でき、且つ楽譜などに書き込み可能なファイルが知られている（特許文献１、２参照）。【０００３】
特許文献１には、綴じ部と楽譜支持面及び表紙面を有する楽譜支持シートと、楽譜支持面の上下各縁に沿って形成された楽譜ストッパーとからなる楽譜収納リーフが開示されている。また、特許文献２には、クリアブックの真ん中をくりぬき、プリントの三方又は四方の辺を押さえるものが開示されている。
【先行技術文献】
【特許文献】
【０００４】
【特許文献１】特開２０００−２１１２８０号公報
【特許文献２】特開２００６−３２１２１１号公報
【発明の概要】
【発明が解決しようとする課題】
【０００５】
しかしながら、特許文献１に記載の構造では、シートの上下だけ押さえる構造であるため、シートが左右にずれるという問題があった。また、特許文献２の構造では、三方又は四方を押さえる構造であるため、シートのずれる虞は少ないが、シートを保持させるのに手間がかかるという問題があった。【０００６】
本発明は、上述した事情に鑑み、楽譜などのシートを保持し易く且つ確実に保持でき、シートへの書き込みが可能なファイル及びファイルノートを提供することにある。 
【課題を解決するための手段】
【０００７】
前記目的を達成する本発明の第１の態様は、保持するシートを支持する矩形のベースシート本体と、該ベースシート本体の４つの角部に重ねて設けられ、前記ベースシート本体の２辺と固着された２つの固着辺及びこれら固着辺の前記ベースシート本体の角とは反対側の端部同士を連結する前記ベースシート本体とは遊離した遊離辺を有する保持部とを具備し、前記ベースシート本体の前記保持部が設けられた角部の間には、一辺が前記角部同士を連結する辺と固着された補助保持部が設けられていることを特徴とするファイルにある。
【０００８】
本発明の第２の態様は、前記補助保持部とその両側の前記保持部とが１枚の部材から形成されることを特徴とする第１の態様記載のファイルにある。
本発明の第３の態様は、前記保持部が前記ベースシート本体の両面に設けられていることを特徴とする第１又は第２の態様記載のファイルにある。
【０００９】
本発明の第４の態様は、前記ベースシート本体の一方の面に設けられる前記補助保持部とその両側の前記保持部と、前記ベースシート本体の他方の面に設けられる前記補助保持部とその両側の前記保持部とが１枚の部材から形成されていることを特徴とする第３の態様記載のファイルにある。
【００１０】
本発明の第５の態様は、前記ベースシート本体の一辺の前記角部の外側には、ファイル代が設けられていることを特徴とする第１〜４の何れかの態様記載のファイルにある。
【００１１】
本発明の第６の態様は、前記ファイル代には、ファイル用貫通孔が設けられていることを特徴とする第５の態様記載のファイルにある。
【００１２】
本発明の第７の態様は、第５又は６の態様のファイルに複数枚を綴ったことを特徴とするファイルノートにある。
【発明の効果】
【００１３】
本発明のファイル及びファイルノートは、楽譜などのシートを保持し易く且つ確実に保持でき、シートへの書き込みが可能なものである。
【図面の簡単な説明】
【００１４】
【図１】実施形態１に係るファイルを示す平面図である。
【図２】実施形態２に係るファイルを示す平面図である。
【図３】実施形態３に係るファイルノートを示す斜視図である。
【図４】実施形態３に係るファイルノートの使用状態を示す平面図である。
【図５】実施形態３に係るファイルノートの他の使用状態を示す平面図である。
【発明を実施するための形態】
【００１５】
以下、本発明を実施形態に基づいて説明する。
【００１６】
（実施形態１）
図１には、実施形態１に係るファイルを示す。図に示すように、ファイル１は、例えば、Ａ４サイズのより若干大きな寸法を有し、Ａ４サイズの楽譜やプリントされた書類などのシートＳ（図４参照）を支持する矩形のベースシート１０と、ベースシート１０の４つの角部に設けられた保持部２０とを具備する。
【００１７】
ベースシート１０は、樹脂フィルム又はシート、紙などから形成され、例えば、Ａ４サイズのシートを保持するものとしては、Ａ４サイズより若干大きなベースシート本体１１を有し、ベースシート本体１１の４つの角部に重ねた状態で保持部２０が設けられている。 
【００１８】
保持部２０は、ベースシート１０と同じ又は異なる材質で形成され、厚さも同一でも異なってもよい。
【００１９】
本実施形態ではベースシート１０は、樹脂フィルムからなり、保持部２０は、ベースシート１０より若干厚い樹脂フィルムからなる。
【００２０】
保持部２０は、直交する直線状の固着辺２１と固着辺２１の交差部とは反対側同士を連結する遊離辺２２とを具備し、遊離辺２２は、中央部が固着辺２１の交差部から離れる方向に突出するように屈曲した辺となっている。なお、遊離辺２２の形状は特に限定されず、固着辺２１を直線状に連結するものでも、円弧状に連結するものでもよい。
【００２１】
そして、保持部２０の固着辺２１は、ベースシート本体１１の角部を形成する長辺１１ａと短辺１１ｂとに溶着により固着されている。一方、保持部２０の遊離辺２２はベースシート本体１１とは溶着されずにベースシート本体１１とは分離されている。これにより、保持部２０は遊離辺２２側が開口するポケットとなり、シートＳの角部を保持部２０の遊離辺２２側から挿入すると、シートＳの角部を構成する２辺が溶着された固着辺２１の内側に沿って配置され、４つの角部が保持部２０に保持されるようになっている。
【００２２】
これにより、シートＳは、４つの角部のみではあるが、角部を構成する２辺により位置決めされるので、シートＳはしっかりと確実に保持され、ずれることがない。また、シートＳは角部のみが保持部２０内に入り込むがほぼ全体が露出しているので、書き込みが自由にできる。
【００２３】
また、保持部２０は、ベースシート本体１１の両面に設けられている。これにより、シートＳを両面にそれぞれ保持することができる。勿論、保持部２０は、ベースシート本体１１の片面のみに設けられていてもよい。
【００２４】
ベースシート本体１１の１辺、本実施形態では長辺１１ａの一方には、ファイル代１２が設けられている。ファイル代１２には、３０穴バインダー又はリングファイル、４穴バインダー又はリングファイル、２穴バインダー又はリングファイルなどに綴るためのファイル用貫通孔１２ａが設けられている。なお、ファイル代１２には、ファイル用貫通孔１２ａが設けられてなくてもよく、その場合には複数枚を接着剤や糸又はその他の固着手段で綴ってもよい。
【００２５】
（実施形態２）
図２には、実施形態２にかかるファイル１Ａを示す。このファイル１Ａは、ベースシート本体１１の短辺１１ｂの中央部に補助保持部３０を設けたものである。補助保持部３０は、略三角形状を有し、底辺が固着辺３１となり、ベースシート本体１１の短辺１１ｂに溶着され、２つの斜辺が遊離辺３２となっている。
【００２６】
本実施形態では、２つの保持部２０と間の補助保持部３０、並びに裏側の２つの保持部２０と補助保持部３０とが１枚の部材からなり、２つ折りにした部材の間にベースシート本体１１を挟み込み、端部を溶着することにより、両面で４つの保持部２０と２つの補助保持部３０とが形成されることになる。
【００２７】
勿論、補助保持部３０は、保持部２０とは別部材で形成するようにしてもよいことはいうまでもない。
【００２８】
なお、補助保持部３０は、詳細は後述するが、綴って見開きで配置された２枚のファイル１Ａに跨がって大きなシートＳ１を保持する際にシートＳ１の上下端部を保持するので、シートＳ１を安定して保持することができるという利点がある。よって、補助保持部３０は、ファイル１Ａに１枚のシートＳを保持する際には必ずしも使用する必要はない。
【００２９】
（実施形態３）
図３には、複数枚のファイル１Ａと表紙１０１をリングファイル１０２で綴ったファイルノート１００を示す。
【００３０】
このようなファイルノート１００は、複数枚の書類や楽譜を整理して保持し、補完することができ、また、その状態で、書類や楽譜に必要に応じて書き込みができるものである。
【００３１】
図４は、１枚のファイル１Ａに１枚のシートＳを保持した状態を示す。また、図５は、見開き状態の２枚のファイル１Ａに大きな、この場合、Ａ３のシートＳ１を保持した状態を示す。なお、この場合、補助保持部３０がシートＳ１の上下辺を保持するので、安定且つ確実に保持することができるという利点がある。
【符号の説明】
【００３２】
１、１Ａ    ファイル
１０        ベースシート
１１        ベースシート本体
１２        ファイル代
２０        保持部
３０        補助保持部
１００      ファイルノート 
【図１】
0006505669.tif 000002
【図２】
0006505669.tif 000003
【図３】
0006505669.tif 000004
【図４】
0006505669.tif 000005
【図５】
0006505669.tif 000006